【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
外科用器具を少なくとも部分的に創傷開口を通して挿入するための装置であって、
外科用器具を少なくとも部分的に創傷開口を通して送り込むべく、前記創傷開口を通して少なくとも部分的に挿入可能な移送器を有することを特徴とする装置。
【請求項２】
前記移送器が、外科用器具に係合して前記外科用器具を前記移送器に結合するように構成されていることを特徴とする請求項１に記載の装置。
【請求項３】
前記移送器が、外科用器具に係合するフック要素を有することを特徴とする請求項２に記載の装置。
【請求項４】
前記移送器が、外科用器具を前記移送器に係合した状態に保持する保持要素を有することを特徴とする請求項２又は３に記載の装置。
【請求項５】
前記移送器が、前記移送器に係合している外科用器具の配置を容易にする通路を有することを特徴とする請求項２乃至４の何れかに記載の装置。
【請求項６】
外科用器具を少なくとも部分的に創傷開口を通して、前記外科用器具の少なくとも一部を背の低い形状にして挿入するように構成されていることを特徴とする請求項１乃至５の何れかに記載の装置。
【請求項７】
外科用器具の少なくとも一部を背の低い形状で保持するホルダ要素を有することを特徴とする請求項６に記載の装置。
【請求項８】
外科用器具の第２の部分を創傷開口を通して送り込む間、前記外科用器具の第１の部分を前記創傷開口の外側に保持するように構成されていることを特徴とする請求項１乃至７の何れかに記載の装置。
【請求項９】
外科用器具の一部をぴんと張った状態に維持するように構成されていることを特徴とする請求項８に記載の装置。
【請求項１０】
外科用器具の第１の部分を受容して保持する受容部分を有することを特徴とする請求項８又は９に記載の装置。
【請求項１１】
前記移送器が、外科用器具の少なくとも一部を受容して前記外科用器具を前記移送器に結合するハウジング部分を有することを特徴とする請求項１乃至１０の何れかに記載の装置。
【請求項１２】
前記ハウジング部分が、外科用器具の少なくとも一部を前記ハウジング部分内から出させることを容易にする出口開口を有することを特徴とする請求項１１に記載の装置。
【請求項１３】
前記ハウジング部分が、外科用器具の少なくとも一部を前記ハウジング部分に挿入することを容易にする入口開口を有することを特徴とする請求項１１又は１２に記載の装置。
【請求項１４】
前記ハウジング部分が、外科用器具の一部を前記ハウジング部分から延長させることを容易にするスリーブ開口を有することを特徴とする請求項１１乃至１３の何れかに記載の装置。
【請求項１５】
前記移送器が、外科用器具の少なくとも一部を前記ハウジング部分内から出させることを補助するイジェクタ要素を含むことを特徴とする請求項１１乃至１４の何れかに記載の装置。
【請求項１６】
前記ハウジング部分が非円形断面であることを特徴とする請求項１１乃至１５の何れかに記載の装置。
【請求項１７】
前記移送器が、創傷開口を通して少なくとも部分的に挿入可能な挿入要素と、外科用器具を少なくとも部分的に創傷開口を通して引き出すために前記外科用器具を前記挿入要素に結合する引き出し要素とを含むことを特徴とする請求項１乃至１６の何れかに記載の装置。
【請求項１８】
前記引き出し要素が可撓性を有することを特徴とする請求項１７に記載の装置。
【請求項１９】
前記挿入要素が、前記引き出し要素をその中に延長させて前記挿入要素に結合する開口を有することを特徴とする請求項１７又は１８に記載の装置。
【請求項２０】
前記移送器が、該移送器の長手方向軸に関して同心に配置された外科用器具を送り込むように構成されていることを特徴とする請求項１乃至１９の何れかに記載の装置。
【請求項２１】
前記移送器が、該移送器の長手方向軸に関してオフセットして配置された外科用器具を送り込むように構成されていることを特徴とする請求項１乃至２０の何れかに記載の装置。
【請求項２２】
前記移送器が、最大横寸法３ｍｍ乃至３５ｍｍの創傷延長部分を有することを特徴とする請求項１乃至２１の何れかに記載の装置。
【請求項２３】
前記移送器の遠位端部が先端の鈍い形状であることを特徴とする請求項１乃至２２の何れかに記載の装置。
【請求項２４】
前記移送器の遠位端部が丸みを帯びた形状であることを特徴とする請求項１乃至２３の何れかに記載の装置。
【請求項２５】
創傷開口を形成する開口器を有することを特徴とする請求項１乃至２４の何れかに記載の装置。
【請求項２６】
前記開口器が切開器からなることを特徴とする請求項２５に記載の装置。
【請求項２７】
前記開口器が、組織を裂開させることによって創傷開口を形成するように構成されていることを特徴とする請求項２５に記載の装置。
【請求項２８】
前記開口器が前記移送器に取り付けられていることを特徴とする請求項２５乃至２７の何れかに記載の装置。
【請求項２９】
前記開口器が、前記移送器から分離されていることを特徴とする請求項２５乃至２７の何れかに記載の装置。
【請求項３０】
前記開口器が、平たくした断面形状の創傷延長部分を有することを特徴とする請求項２５乃至２９の何れかに記載の装置。
【請求項３１】
前記移送器が、平たくした断面形状の創傷延長部分を有することを特徴とする請求項１乃至３０の何れかに記載の装置。
【請求項３２】
前記開口器が、創傷開口を形成するための切断要素と、前記切断要素を遮蔽するためのシールド要素とを有することを特徴とする請求項２５乃至３１の何れかに記載の装置。
【請求項３３】
前記開口器が、創傷開口を形成するための切断要素と支持要素とを有し、前記切断要素が前記支持要素に取り外し可能に取り付けられていることを特徴とする請求項２５乃至３２の何れかに記載の装置。
【請求項３４】
前記開口器を組織の中に通す範囲を制限する制限要素を有することを特徴とする請求項２５乃至３３の何れかに記載の方法。
【請求項３５】
前記開口器が、最大横寸法３ｍｍ乃至３５ｍｍの創傷延長部分を有することを特徴とする請求項２５乃至３４の何れかに記載の装置。
【請求項３６】
前記創傷開口の開通性を維持するために、少なくとも部分的に創傷開口に挿入可能な案内具を有することを特徴とする請求項１乃至３５の何れかに記載の装置。
【請求項３７】
前記案内具が可撓性を有することを特徴とする請求項３６に記載の装置。
【請求項３８】
前記案内具が硬質であることを特徴とする請求項３６に記載の装置。
【請求項３９】
前記案内具が、前記移送器及び／または前記開口器に取り付け可能であることを特徴とする請求項３６乃至３８の何れかに記載の装置。
【請求項４０】
前記案内具が、最大横寸法３ｍｍ乃至３５ｍｍの創傷延長部分を有することを特徴とする請求項３６乃至３９の何れかに記載の装置。
【請求項４１】
外科用器具の創傷開口からの取り外しを補助する取り外し器具を有することを特徴とする請求項１乃至４０の何れかに記載の装置。
【請求項４２】
前記取り外し器具が外科用器具から分離されていることを特徴とする請求項４１に記載の装置。
【請求項４３】
前記取り外し器具が、外科用器具に係合して前記外科用器具の創傷開口からの取り外しを補助するように構成されていることを特徴とする請求項４１又は４２に記載の装置。
【請求項４４】
前記取り外し器具が、少なくとも部分的に創傷開口を通して延長可能な連結要素を有することを特徴とする請求項４１乃至４３の何れかに記載の装置。
【請求項４５】
前記案内具及び前記取り外し器具が、一個の器具によって提供されることを特徴とする請求項３６乃至４４の何れかに記載の装置。
【請求項４６】
外科用器具と、
前記外科用器具を少なくとも部分的に創傷開口を通して挿入するための、請求項１乃至４５の何れかに記載の装置とを備えることを特徴とする外科用アセンブリ。
【請求項４７】
前記外科用器具が創部保護開創器からなることを特徴とする請求項４６に記載のアセンブリ。